(57)【要約】【課題】  ビスの使用本数を削減して組み立て性を向上するとともに、外観意匠性を高め、さらに落下等による外力に対して筺部材間を外れにくくした筺体装置と、これを外装体として備えた携帯製品とを提供する。【解決手段】  一対の筐部材８、９が接合することで内部に空間Ｓを形成する筺体装置２である。筺部材８、９の側壁面にバンド１２を有している。バンド１２は、筺部材８、９に形成された第１の溝１０に係止する第１の係止片１３を有する第１のバンド部１２ａと、筺部材８、９に形成された第２の溝１１に係止する第２の係止片１４を有する第２のバンド部１２ｂとからなる。第１の溝１０は筺部材８、９の辺方向に延びて形成され、第２の溝１１は筺部材８、９の厚さ方向に延びて形成されている。バンド１２は、係止片１３、１４を対応する溝に係止させたことで、筺部材８、９を閉じた状態に固定している。【選択図】        図２
2005340256.tif 000002
【特許請求の範囲】
【請求項１】
一対の筐部材を有し、これら筐部材が互いに接合することでその内部に装置本体を収容する空間を形成する筺体装置であって、
上記一対の筺部材の側壁面に、これら筺部材の接合部を覆うバンドを有し、
上記バンドは、一方の筺部材の側壁面に形成された第１の溝に係止する第１の係止片と他方の筺部材の側壁面に形成された第１の溝に係止する第１の係止片とを有する第１のバンド部と、一方の筺部材の側壁面に形成された第２の溝に係止する第２の係止片と他方の筺部材の側壁面に形成された第２の溝に係止する第２の係止片とを有する第２のバンド部とからなり、
上記第１の溝は上記筺部材の辺方向に延びて形成され、上記第２の溝は上記筺部材の厚さ方向に延びて形成されてなり、
上記バンドは、その第１のバンド部と第２のバンド部とがそれぞれの係止片を対応する上記溝に係止させたことにより、上記一対の筺部材の側壁面に取り付けられて該一対の筺部材を閉じた状態に固定していることを特徴とする筐体装置。
【請求項２】
上記バンドは、上記第１のバンド部と第２のバンド部とが一体化されてなるものであることを特徴とする請求項１記載の筐体装置。
【請求項３】
請求項１又は２記載の筺体装置を外装体として備えたことを特徴とする携帯製品。
【発明の詳細な説明】
【技術分野】
【０００１】
本発明は、装置本体を収容する筐体装置と、この筺体装置を備えた携帯製品に関する。
【背景技術】
【０００２】
内部に装置本体を収容する筐体装置として、従来、例えばカメラ等の携帯製品における筐体が知られている。カメラは、通常その前側を覆う前カバーと、後側を覆う後カバーというように、大きく分けて２つ部材からなり、さらに、上記前カバー、後カバーに加えてフィルムを装填するための開口部を開閉する後蓋や、電池を装填するための開口部を開閉する電池蓋などが、上記の前、後カバーに取り付けられている。そして、上記前カバーと後カバーとは、通常、ビスによって固定されている。
【０００３】
ところが、このように前カバーと後カバーとを固定するためにビスを用いる筺体では、筐体の４隅をビス止めする必要があり、組み立て作業の煩わしさが避けられず、また、ビス用のネジ穴などのために多くのスペースを必要とすることから、この筺体を備えた製品の小型化を妨げる一因となっていた。
【０００４】
このような背景から、従来、一対の筐体を、それぞれの側壁部に形成した軸受けに軸部材を挿通することによって固定し、ビスの使用本数を削減した筺体装置が知られている（例えば、特許文献１参照）。
【特許文献１】特開２０００−３３２４４２号公報
【発明の開示】
【発明が解決しようとする課題】
【０００５】
しかしながら、前記の軸部材を用いた筺体装置では、軸受けが筺体の側壁面より突出して形成されていることから、外観意匠性が損なわれるといった課題があり、また、特に落下等により不測に外力が加わった際、軸部材が軸受けから外れてしまい、筺体間の固定が解除されてしまうおそれがあった。
【０００６】
本発明は上記事情に鑑みてなされたもので、その目的とするところは、筺部材（筐体）間を固定するためのビスの使用本数を削減して組み立て性を向上するとともに、外観意匠性を高め、さらに落下等による外力に対して筺部材（筐体）間を外れにくくした筺体装置と、これを外装体として備えた携帯製品とを提供することにある。
【課題を解決するための手段】
【０００７】
本発明の筐体装置は、一対の筐部材を有し、これら筐部材が互いに接合することでその内部に装置本体を収容する空間を形成する筺体装置であって、
上記一対の筺部材の側壁面に、これら筺部材の接合部を覆うバンドを有し、
上記バンドは、一方の筺部材の側壁面に形成された第１の溝に係止する第１の係止片と他方の筺部材の側壁面に形成された第１の溝に係止する第１の係止片とを有する第１のバンド部と、一方の筺部材の側壁面に形成された第２の溝に係止する第２の係止片と他方の筺部材の側壁面に形成された第２の溝に係止する第２の係止片とを有する第２のバンド部とからなり、
上記第１の溝は上記筺部材の辺方向に延びて形成され、上記第２の溝は上記筺部材の厚さ方向に延びて形成されてなり、
上記バンドは、その第１のバンド部と第２のバンド部とがそれぞれの係止片を対応する上記溝に係止させたことにより、上記一対の筺部材の側壁面に取り付けられて該一対の筺部材を閉じた状態に固定していることを特徴としている。
【０００８】
この筐体装置によれば、係止片を有するバンドを一対の筐部材の側壁面に取り付け、該一対の筺部材を閉じた状態に固定しているので、バンド自体は係止片形成面と反対側が平面となることにより、閉じられた筺部材の外側に突出した状態とはならず、したがって側壁面がスッキリとすることで外観意匠性が高まる。
また、バンドが、筺部材の辺方向に延びる第１の溝に対して第１の係止片を係止させ、該筺部材の厚さ方向に延びる第２の溝に対して第２の係止片を係止させているので、落下等による外力が加わった際、２種類の係止片と溝との組み合わせがそれぞれ異なる方向の外力に対してそれに抗するように作用するため、筺部材間が外れにくくなる。
さらに、バンドによって一対の筺部材を閉じた状態に固定しているので、ビスの使用本数が削減されて組み立て性が向上する。
【０００９】
また、上記筺体装置においては、上記バンドが、上記第１のバンド部と第２のバンド部とが一体化されてなっているのが好ましい。
このようにすれば、一本のバンドで、前述したように異なる方向の外力に対してそれに抗するように作用させることが可能になり、したがって、バンドの本数が少なくなることで外観をよりシンプルにしてその意匠性を高めることができる。また、異なる方向に作用する係止片を一本のバンドに設けたことで、外力に抗するバンドの力をより高めることができる。
【００１０】
本発明の携帯製品は、上記の筺体装置を外装体として備えたことを特徴としている。
この携帯製品にあっては、前述したように外観意匠性が高く、落下等による外力に対しても強度が高い筺体装置を外装体としているので、この携帯製品自体も外観意匠性が高く、強度的にも優れたものとなる。また、ビスの使用本数が削減されることで組み立て性も向上したものとなる。
【発明の効果】
【００１１】
本発明の筺体装置は、外観意匠性が高く、落下等による外力に対しても強度が高く筺部材間が外れにくくなっており、さらに、ビスの使用本数が減少して組み立て性が向上したものとなる。
本発明の携帯製品も、外観意匠性が高く、落下等による外力に対しても強度が高く、さらに、組み立て性が向上したものとなる。
【発明を実施するための最良の形態】
【００１２】
以下、本発明を詳しく説明する。
図１（ａ）、（ｂ）は、本発明の携帯製品としてのデジタルカメラの一実施形態を示す図であり、図１（ａ）、（ｂ）中符号１はデジタルカメラである。このデジタルカメラ１は、本発明の筺体装置を外装体２として備え、この外装体２（筺体装置）内にカメラ機能を有する装置本体（図示せず）を収容したものである。
【００１３】
図１（ａ）に示すようにデジタルカメラ１には、外装体２の正面部にレンズ部３およびフラッシュ４が設けられ、正面上部にシャッターボタン５が設けられている。また、外装体２の背面部には、図１（ｂ）に示すように撮影画像を表示するためのＬＣＤ表示部６および撮影した画像を保存したりする際に操作する操作ボタン７が設けられている。  
【００１４】
外装体２は、本発明における筺部材となる表カバー８及び裏カバー９を有し、図２に示すようにこれら表カバー８と裏カバー９とが互いに内側の縁部を接合したことで、その内部に上記装置本体を収容する空間Ｓを形成したものである。すなわち、表カバー８は、上記レンズ部３を露出させるための開口３ａやフラッシュ４を露出させるための開口４ａなどを形成した矩形状の表板部８ａと、この表板部８ａの各辺部に形成された側壁部８ｂとからなっている。同様に、裏カバー９は、上記ＬＣＤ表示部６を露出させるための開口（図示せずやと操作ボタン７を露出させるための開口（図示せず）などを形成した矩形状の表板部９ａと、この表板部９ａの各辺部に形成された側壁部９ｂとからなっている。そして、表カバー８の側壁部８ｂの縁部と裏カバー９の側壁部９ｂの縁部とが前述したように突き合わされ、接合されることにより、その内部に空間Ｓを形成しているのである。
【００１５】
また、これら表カバー８の側壁部８ｂ、裏カバー９の側壁部９ｂには、それぞれに溝が形成されている。表カバー８の長辺側となる側壁部８ｂの表面（側壁面）８ｃには、その縁部側（表板部８ａと反対の側）の中央部に第１の溝１０が形成されており、同様に裏カバー９の長辺側となる側壁部９ｂの表面（側壁面）９ｃにも、その縁部側（表板部９ａと反対の側）の中央部に第１の溝１０が形成されている。これら第１の溝１０、１０は、それぞれ表カバー８あるいは裏カバー９の辺方向に沿って形成されたものである。すなわち、前記表板部８ａあるいは裏板部９ａの長辺の長さ方向に沿って形成されたもので、本実施形態では前記長辺の１／３〜１／２程度の長さに形成されている。
【００１６】
また、表カバー８の短辺側となる側壁部８ｂの表面（側壁面）８ｄには、その縁部のほぼ中央部に第２の溝１１が２条、表カバー８の厚さ方方向に沿って並列して形成されている。同様に、裏カバー９の短辺側となる側壁部９ｂの表面（側壁面）９ｄにも、その縁部のほぼ中央部に第２の溝１１が２条、裏カバー９の厚さ方方向に沿って並列して形成されている。これら表カバー８の第２の溝１１、１１と裏カバー９の第２の溝１１、１１とは、表カバー８と裏カバー９とが前述したように突き合わされて接合された際、対応する第２の溝１１どうしも突き合わされ、連続した１本の溝となるようになっている。
【００１７】
また、外装体２には、図１（ａ）、（ｂ）に示したように、その表カバー８の側壁部８ｂと裏カバー９の側壁部９ｂとの接合部を覆うようにして、二つのバンド１２が設けられている。バンド１２は、図２に示すように細長い中央板部１２ａと、この中央板部１２ａの両端よりそれぞれほぼ直角に折れ曲がった側板部１２ｂ、１２ｂとからなる略コ字状のもので、中央板部１２ａが外装体２の長辺側における接合部を覆い、側板部１２ｂ、１２ｂがそれぞれ外装体２の短辺側における接合部の一部を覆ったものである。ここで、このバンド１２はステンレス等の金属によって形成されたもので、その外面には特に何も形成されておらず、したがって外面は平坦面（平滑面）となっている。
【００１８】
このバンド１２には、図２に示したようにその中央板部１２ａに、第１の係止片１３が内側に突出した状態で二つ、並行に形成されている。これら第１の係止片１３、１３は、細長い中央板部１２ａの長手方向に沿って形成され、かつ、前記第１の溝１０とほぼ同じ長さに形成されたものである。このような構成のもとに二つの第１の係止片１３、１３は、バンド１２が表カバー８と裏カバー９との接合部に取り付けられた際、一方が表カバー８側の第１の溝１０に係止し、他方が裏カバー９側の第１の溝１０に係止するようになっている。
【００１９】
また、側板部１２ｂ、１２ｂには、それぞれの端部側に第２の係止片１４が、内側に突出した状態で形成されている。これら第２の係止片１４は、本実施形態では側板部１２ｂの幅方向に沿って延びる爪１４ａが、二つ隣り合って形成されている。このような構成のもとに第２の係止片１４は、バンド１２が表カバー８と裏カバー９との接合部に取り付けられた際、各爪１４ａのうちの一方が表カバー８側の第２の溝１１に係止し、他方が裏カバー９側の第２の溝１１に係止するようになっている。
【００２０】
ここで、第１の係止片１３は、図３に示すようにその先端側が外側に曲がって形成されており、第２の係止片１４の爪１４ａは、図４に示すようにその先端側が湾曲して形成されている。第１の係止片１３の曲がった部分は、図３中に示す幅ｄ１が前記第１の溝１０の幅より大に形成されており、また、第２の係止片１４の爪１４ａの湾曲した部分は、図４中に示す幅ｄ２が前記第２の溝１１の幅より大に形成されている。このような構成のもとに第１の係止片１３、第２の係止片１４は、前述した第１の溝１０あるいは第２の溝１１に挿入された際、その曲がった部分あるいは湾曲した部分が溝の内壁に規制され、弾性変形する。したがって、その状態から弾性復帰しようとする力を溝の内壁に対して働かせることにより、これら第１の係止片１３、第２の係止片１４は、対応する溝１０（１１）内に強固に係止するようになっているのである。
【００２１】
なお、このようなバンド１２において、第１の係止片１３を有した中央板部１２ａは、本発明における第１のバンド部となっており、第２の係止片１４を有した側板部１２ｂは、本発明における第２のバンド部となっている。
そして、このような構成からなるバンド１２が、図１（ａ）、（ｂ）、図２に示したようにその一つが表カバー８、裏カバー９の上部側に取り付けられ、もう一つが下部側に取り付けられたことにより、本発明の筺体装置となる外装体２が形成されているのである。
【００２２】
すなわち、表カバー８と裏カバー９とを、それぞれの側壁部８ｂ、９ｂの縁部を突き合わせた状態に接合し、その後、バンド１２の第１の係止片１３を第１の溝１０に挿入するとともに、第２の係止片１４の爪１４ａを第２の溝１１に挿入し、それぞれを対応する溝に係止させることで、バンド１２を表カバー８及び裏カバー９に取り付ける。これにより、表カバー８と裏カバー９とは、その内部に空間Ｓを形成して該空間Ｓ内に装置本体を収容した閉じた状態で、バンド１２によって一体に固定されているのである。
【００２３】
なお、これら表カバー８と裏カバー９との固定については、本実施形態の場合、二つのバンド１２によってほぼ十分に行うことができるが、使用者が故意にバンド１２を外そうとした場合などでは、バンド１２が外れ、表カバー８と裏カバー９とが分解してしまうおそれもある。したがって、このように人為的な力でバンド１２が外された場合にも、表カバー８と裏カバー９とがそのまま分解してしまうことがないよう、任意の箇所でビス止めを行うようにしてもよい。ただし、その場合にも、ビス止めは表カバー８と裏カバー９との固定を主目的とするものではないため、ビス止め箇所の数は最小限に抑えることができる。また、バンド１２が外れてしまうのを確実に防止するため、その係止片による固定とは別に、表カバー８や裏カバー９に対してバンド１２を直接ビス止めするようにしてもよい。
【００２４】
このような構成のデジタルカメラ１にあっては、表カバー８と裏カバー９との固定を、その接合部を覆うようにして取り付けた二つのバンド１２で行っている。バンド１２は、基本的にその外側が平坦面であることから、外装体２の側壁面は、シャッターボタン５などの操作部以外に外側に突出した部分がなく、したがって側壁面がスッキリとする。よって、表カバー８と裏カバー９とがバンド１２によって固定されてなる外装体２は、その外観意匠性が高いものとなり、これを備えたデジタルカメラ１も外観意匠性が高いものとなる。
【００２５】
また、バンド１２が、表カバー８、裏カバー９の第１の溝１０に対して第１の係止片１３を係止させ、第２の溝１１に対して第２の係止片１４を係止させているので、落下等による外力が加わった際、２種類の係止片と溝との組み合わせがそれぞれ異なる方向の外力に対してこれに抗するように作用するため、表カバー８と裏カバー９との間が外れにくくなる。よって、外装体２は落下等による外力に対しても強度が高く、これを備えたデジタルカメラ１も強度が高いものとなる。
さらに、バンド１２によって表カバー８と裏カバー９とを閉じた状態に固定しているので、ビスの使用本数を削減することができ、これにより組み立て性を向上することができる。
【００２６】
また、第１の係止片１３を有した第１のバンド部と、第２の係止片１４を有した第２のバンド部とが一体化されたバンド１２を用いているので、このバンド１２だけで前述したように異なる方向の外力に対してそれに抗するように作用させることができる。したがって、バンド１２の本数を少なくすることができ、これにより外観をよりシンプルにしてその意匠性を高めることができる。また、異なる方向に作用する係止片を一本のバンド１２に設けたことで、外力に抗するバンドの力をより高めることができる。
【００２７】
なお、本発明は前記実施形態に限定されることなく、本発明の要旨を逸脱しない限り種々の変更が可能である。例えば、前記実施形態では表カバー８の第２の溝１１、１１と裏カバー９の第２の溝１１、１１とを、表カバー８と裏カバー９とが突き合わされて接合された際、対応する第２の溝１１どうしも突き合わされ、連続した１本の溝となるようにしたが、これら表カバー８の第２の溝１１、１１と裏カバー９の第２の溝１１、１１とについては、表カバー８と裏カバー９とが突き合わされて接合された後も、互いに連続することなく、それぞれが独立した溝のままであるように形成してもよい。
【００２８】
また、バンドについては、前記のバンド１２のごとく、第１の係止片１３を有した第１のバンド部と、第２の係止片１４を有した第２のバンド部とが一体化されたものでなく、これら第１のバンド部と第２のバンド部とが別に形成されたもの、すなわち、第１の係止片１３を有した第１のバンドと、第２の係止片１４を有した第２のバンドとをそれぞれ別に用いるようにしてもよい。
【００２９】
また、図５に示すように、表カバー８、裏カバー９の上部側には前記のバンド１２を用い、下部側には第１の係止片１３のみを有した第１のバンド１５を用いるようにしてもよい。外装体２の側壁部８ｂ、９ｂに例えば電池の収容部などを形成したい場合に、このようにすることで、バンドに干渉されることなく側壁部８ｂ、９ｂに収容部などを形成することができる。
また、本発明における第１の溝や第２の溝としては、一般的な溝形状のもの以外に、表カバー（筺部材）８や裏カバー（筺部材）９に形成された開口により、見掛け上溝形状となるものも含むものとする。
【００３０】
なお、本実施形態では、本発明の筐体装置を備えた携帯製品としてデジタルカメラについて説明したが、筐体部を有したものであれば、デジタルカメラ以外にも例えば携帯電話や電子辞書、ＰＤＡ等の各種の携帯製品に適用することができる。
【図面の簡単な説明】
【００３１】
【図１】本発明の筐体装置を備えたデジタルカメラの概略構成を示し、（ａ）はデジタルカメラ正面の斜視図、（ｂ）はデジタルカメラ背面の斜視図である。
【図２】筐体装置の一実施形態の分解斜視図である。
【図３】第１の係止片の要部拡大図である。
【図４】第２の係止片の要部拡大図である。
【図５】筐体装置の他の実施形態の分解斜視図である。
【符号の説明】
【００３２】
１…デジタルカメラ（携帯製品）、２…外装体（筐体装置）、
８…表カバー（筺部材）、９…裏カバー（筺部材）、１０…第１の溝、
１１…第２の溝、１２…バンド、１２ａ…中央板部（第１のバンド部）、
１２ｂ…側板部（第２のバンド部）、１３…第１の係止片、１４…第２の係止片、
１４ａ…爪
【図１】
2005340256.tif 000003
【図２】
2005340256.tif 000004
【図３】
2005340256.tif 000005
【図４】
2005340256.tif 000006
【図５】
2005340256.tif 000007